(57)【要約】      （修正有）【課題】外出にあたり、鍵をかけたか否か記憶が定かでないとき、一度引返して確認しなくてはならない。そこで外出時に確実に鍵をかけなければならないようにする安価な装置を提供する。【解決手段】ドアの鍵１０をストラップ９でぶら下げるフック本体１と、音声発光発生装置２は電気回路上にあり、鍵１０をフック本体１から外すと内部のスイッチはＯＮになり回路に通電し音声発光発生装置２から警告音を発し、同時に発光する。スイッチはバネですぐＯＦＦ状態になるが、回路に組み込まれたシリコン制御整流子の働きで電流は途切れない、ドア外の鍵孔カバーをずらすか手前に開けると、スイッチ端子とが離れ電流は止まり音声発光発生装置２が鳴りやみ発光は止る。この動作で鍵穴が露出するので施錠実行を忘れることはない。帰宅後鍵掛けフック１に鍵を戻しておくが、鍵掛けフック４はバネ１２で既に原位置に戻っており、警告音は発生せず、発光もない。【選択図】図１
0003171728.tif 000002
【実用新案登録請求の範囲】
【請求項１】
外出用鍵専用の初動スイッチ内蔵の鍵掛けフック本体１と、音声発生発光装置２と、ドア外側の鍵穴１１を常時塞ぐＯＮ，ＯＦＦスイッチ付き可動鍵穴カバー６で構成され、初動イッチ内蔵の鍵掛けフック本体１は鍵をつるしたときはＯＦＦ状態で引っ張って鍵を取り外したときにＯＮとなり音声発生発光装置２に信号を送り音声を発生させ発光させる、音声発生発光装置２は次の動作がなくては鳴り止まず発光も止まらない、ドア外部のある鍵孔カバー６を横にずらすか手前に引くとスイッチ７，８が切断され警報音が鳴り止み発光も止まる、この一連の動作を基とした鍵掛け忘れ防止装置。
【考案の詳細な説明】
【考案の詳細な説明】
【技術分野】
【０００１】本考案は鍵掛け忘れを音響又は発光で警告するものである、初動スイッチ内蔵の鍵掛けフック本体１で一旦音声発生発光装置２を作動させるが、ドアの音声停止スイッチ７，８を切るまで警告音が鳴り止まず発光がとまらない、この３個の装置で構成されるが、有線または無線の信号伝達手段でも可能な鍵掛け忘れ防止装置。
【背景技術】
【０００２】鍵掛け忘れ防止には多くの特許、実用新案がある。施錠忘れを音声で知らせる、発光して施錠を知らせる、また鍵の付属品に記録を残すなどである。
しかし、いずれも鍵自体か錠自体に加工を加えることが前提で高価となり、また特に外出せず、近所に出る時でも警告音を発する等問題点があった。
【先行技術文献】
【考案の文献】
【０００３】
【特許文献１】  特許公開  平０９−７２１３６
【特許文献２】  実用新案  平０６−４５０１４
【考案の概要】
【考案が解決しようとする課題】
【０００４】外出してから鍵を掛け忘れたか、否かの心配は一般人特に高齢者の常である。
そこで外出時に確実に鍵をかけなければならないようにする安価な装置を提供する。
【課題を解決するための手段】
【０００５】在宅時には、鍵１０を鍵の孔に通したストラップ９で鍵掛けフック本体１に掛けておく。外出時に鍵１０を鍵掛フック本体１から引っ張って外そうとすると、フック４が手前に倒れ、内部に設置した鍵掛けフック支持バネ兼端子１２と鍵掛けフック端子５が接触して通電し、回路を経由して音声発生発光装置２から警告音を発し発光する、５と１２の接触はバネによって一瞬で切れるが、シリコン制御整流子１４によって通電は続く、音をとめるには、ドア外側の鍵孔を覆うカバー６を横にずらし或いは手前に持ち上げる、するとカバー裏側にあるスイッチ端子８とドア上の端子７の接触が切れて音は止まる。
この動作により鍵孔１１が鍵穴カバー６の下から現れ、鍵掛けが可能になる。
有線でも無線でも構成可能な鍵掛け忘れ防止装置。
【考案の効果】
【０００６】本考案は安価な部品と簡単な電子回路で出来上がり、既存の鍵を改修することなく実現できる。外出のときに鍵を鍵掛けフック本体１から外せば必ず警告音と光を発し、耳の不自由な高齢者にも鍵掛け忘れを注意する。ドア外の鍵孔カバー６を横にずらすか、手前に引いて鍵穴を露出させなければ発光し続け、音声は鳴り止まない。外出時以外には鍵を持ち出すことはないので音声の発生と発光はない。帰宅後鍵掛フック１に掛けるが、バネ１２で鍵掛けフック４はすでに原点に戻っており、回路は切断されているので音声発生、発光はない。このような効果をもち、高齢者にも確実に鍵の掛け忘れを防止できる効果がある。
【図面の簡単な説明】
【０００７】
【図１】図面１は鍵掛けフック本体１及び音声発生発光装置２、の室内の位置関係及び構造を有線について示す図であるが無線での構成も可能である。
【図２】図面２は音声発生発光装置２の位置とドア外部に取付けた鍵穴カバー６の構造説明図である。
【考案を実施するための形態】
【０００８】室内の壁の所定の位置に本考案の鍵掛けフック本体１をとりつける。これには図示のように、初動スイッチの端子５と鍵掛けフック支持バネ兼端子１２を内蔵している。
予め鍵にはストラップ９を取り付ける。鍵１０を鍵掛けフック４から外すため手前に引くとフック内の端子５が鍵掛けフック支持バネ兼端子１２と接触してスイッチがＯＮとなり回路に通電し音声発生発光器２が発光しながら鳴り出すが、次の行動がないと止まらない。ドア前面の鍵孔前に合成樹脂か金属製のカバー６を設置する、カバーにはスイッチの端子８を取り付ける。カバー７は支点３でぶら下がり鍵孔１１を覆っている。下がった状態の鍵カバー通電端子８と対応する位置のドア上にスイッチ端子７を設ける。ドアスイッチ端子７と鍵カバー通電端子８が磁石対応プレート１７と磁石１８が磁力で接着してスイッチは常時ＯＮ状態になっている、カバーをずらすか手前に引くと接続が切れ警告音、発光は止まる。再び端子７と８の接続が戻っても鍵掛け部４は鍵掛けフック支持バネ兼端子１２によって元に戻って切断されているので、警告音を発しないし発光もない。
この構成は有線でも無線でも可能である。
【産業上の利用可能性】
【０００９】特に高齢者の鍵掛け忘れ防止装置として確実な効用を持つ。
【符号の説明】
【００１０】  １        鍵掛けフック本体（発信器）
２        音声発生発光装置（受信機）
３        鍵孔カバー支点
４        鍵掛けフック鍵掛け部
５        鍵掛けフック端子
６        鍵孔カバー
７        ドア通電端子  （発信機）
８        鍵カバー通電端子
９        鍵のストラップ
１０        鍵
１１        鍵孔
１２        鍵掛けフック支持バネ兼スイッチ端子
１３        電池
１４        シリコン制御整流子
１５        ドア通電端子（バネ付き発信機連動）
１６        ブザー
１７        磁石対応プレート
１８        磁石
１９        発光装置（発光ダイオード等）
【図１】
0003171728.tif 000003
【図２】
0003171728.tif 000004
【手続補正書】
【提出日】平成23年8月31日(2011.8.31)
【手続補正１】
【補正対象書類名】実用新案登録請求の範囲
【補正対象項目名】請求項１
【補正方法】変更
【補正の内容】
【請求項１】
外出用鍵専用の初動スイッチ内蔵の鍵掛けフック本体１と、音声発生発光装置２とドア外側の鍵穴１１を常時塞ぐＯＮＯＦＦスイッチ付可動鍵穴カバー６で構成され、初動スイッチ内蔵の鍵掛けフック本体１は鍵をつるしたときはＯＦＦ状態で、引っ張って鍵を取り外したときにＯＮとなり音声発生発光装置２に信号を送り音声を発生させ発光させる、ドア外側にある鍵穴カバー６を横にずらすか手前に引くとスイッチ７，８が切断され音声が鳴り止み発光も止まる、したがって外出しようとして鍵掛けフック本体１から鍵１０を外せば、ドアの鍵穴カバー６を横にずらすか、手前に引かないかぎり音声と発光が止まらず、ずらして鍵穴１１が露出すれば鍵を掛け忘れることは無い鍵掛け忘れ防止装置。